(57)【要約】【課題】都市型浸水防止などに侵入水の吸水などにより膨張する水嚢が使われている。それは軽くて設置も簡単あるが、嵩比重が水比重に近いので浸水時  積み重ねた水嚢間などの滑り摩擦抵抗が小さい。そこで固定安全性の向上が重要である。また悪天候、夜間の作業を問わず緊急時に安全確実に浸水防止をしたい。【解決手段】水嚢、土嚢や吸着袋で浸水防止や防油をする場合、当発明のファスナーやシステムを使って図２３のように築堤すると、ファスナーには蓄光剤などを使っており、悪天候、夜間の作業を問わず緊急時に指揮者や作業員達にも作業が目視しやすい。簡単で安全確実に浸水防止や防油が行える仮設築堤システムで解決できる。また使用後のファスナー処理は袋等が破れず表裏分離可能な構造により  外してリサイクルもできる。【選択図】図２３
2010190023.tif 000002
【特許請求の範囲】
【請求項１】
鈎針状の部分が平板に取付けたような形状のファスナー及びこれを基本にして縦横連続に組み合わせたもの。更にそれらを表裏合わせて一体化した両面ファスナー。編物や合成樹脂製編み物シートなどの任意のところにこのファスナーを挟んで突き刺し、素早く繋げて、あるいは結束できることを特徴とする鈎針型ファスナー。
【請求項２】
平板を資材として  鈎針状に打ち抜き、直立に曲げ起ししたファスナーでこれを基本にして縦横連続に組み合わせたもの。更にそれらを表裏合わせて一体化した両面ファスナー。
編物や合成樹脂製編み物シートなどの任意のところにこのファスナーを挟んで突き刺し、素早く繋げて、あるいは結束できて簡便さを特徴とする平板型ファスナー。
【請求項３】
請求項２の分枝項として  鈎針状に打抜き、それを円弧断面型に成型して直立に起こした腰折れ防止を特徴とする平板円弧型ファスナー。
【請求項４】
請求項２の分枝項として  鈎針状で分厚く成型して直立に起こした更に腰折れに対する強化を特徴とする平板強力型ファスナー。
【請求項５】
請求項１から請求項４の分枝項として、これらの基本ファスナーを組み合わせて表裏はり合わせ、かつ  合わせ面が分離可能な構造の両面形ファスナー。
【請求項６】
請求項１から請求項４の分枝項として、このファスナーで鈎針状部が切裂け防止機能特徴としたファスナー。
【請求項７】
請求項１、から請求項６の分枝項として、このファスナーに蓄光剤、蛍光剤や反射材を使用したファスナー。
【請求項８】
請求項１から請求項７を使った浸水防止、防油のための仮設築堤システム。
【発明の詳細な説明】
【技術分野】
【０００１】  本発明はシート、編んだシートや袋などを繋ぎ一体化するファスナー及びこれらを使った仮設築堤システム  に関する。
【背景技術】
【０００２】    豪雨などによる建物や地下街などの浸水や土石流の浸水の防止に土嚢が使われているが、土嚢は一般的に重たく保管、緊急時の設置などに困難をきたす。そこで最近  吸水材をつかった水嚢（特許文献２）が使われだした。この水嚢は軽くて設置も簡単で侵入水を吸水して膨張し、止水をするのである。【０００３】  ところが吸水膨張方法のため、嵩比重が水比重に近いので浸水時、積み重ねた水嚢の滑り摩擦抵抗が小さい。そこで固定安全性の向上が重要である。そこでロープなどで繋ぐ一体化方法（特許文献２）などで行われているが昼夜、天候を問わず緊急時の作業などにおいて不慣れな一般の人がロープ結びの作業をすると緩んだり解けたり、あるいは水嚢の膨張を見越した間隔を取らねばならないなど間隔が安定しないと水漏れの原因にもなり、一体化、固定安全性に乏しいなど  問題を有して水嚢の利用の伸び悩みをきたしているものである。【０００４】  緊急時、夜間作業などに於いて水嚢の場合、固定作業やその作業確認がしにくく、作業者の事前周知、訓練が必要である。【０００５】  現状の水嚢や土嚢のみの築堤方法では水嚢や土嚢の隙間からの漏水があり、水位上昇を見ながら水嚢や土嚢を押さえて緻密にしないと止水できない。【０００６】  他方  油や石油など流出の事態に対しても緊急仮設防油堤を設置した時  重ねた吸油、吸着マットなどの滑り摩擦抵抗が小さく、漏れ出しは許されない。【０００７】  合成樹脂製編み物シート（以下汎用名ブルーシートと称する）などで水嚢、土嚢や吸着袋ぜんたいを包み一体化したいとき必要な位置に孔金具などがなくても、素早く簡単に留めるものが無い。【０００８】  ブルーシートなどを非平面フライシートなどとして張る場合、必要な場所に孔金具などが無く弛みができると、雨水などが溜まり困るときがある。【０００９】  ブルーシートの用途も昨今の自然災害被災他  複雑多岐にわたり使用されている覆うことあるいは敷くことに於いて簡便に固定したい場合が大変多い。この時  色々な場合の固定、繋ぎや結束もできるパーツが無い。
【特許文献１】  特開２００５−２５６２７９
【特許文献２】  特開２００５−２５６２９５
【発明の開示】
【発明が解決しようとする課題】
【００１０】  水嚢は軽くて設置も簡単で侵入水の吸水などにより膨張し、浸水防止するが吸水膨張方法のため、比重が殆ど水比重に近く積み重ね水嚢の側水圧に対する水嚢の滑り摩擦抵抗が小さいので固定安全性の向上が望まれる。【００１１】  現状の水嚢や土嚢の築堤方法では水嚢や土嚢の隙間からの漏水があり、立ち会いながら水嚢や土嚢を押さえて緻密にしないと止水できないのでこれ以外の築堤方法が望まれる。【００１２】  ファスナーの突起部分は長さ、幅、厚みの違いと水嚢、土嚢や吸着袋の種類（麻、木綿、プラスチックス繊維など）によって使い分ける事が望まれる。【００１３】  夜間・悪天候を問わず緊急を要するとき蓄光剤、蛍光剤や反射材を使用したファスナーを使えば弱光下や暗所での作業者や指揮者などにも目視もでき、安全確実で素早く一体化でき易い状態が望ましい。【００１４】  また油や石油など流出の事態に対しても緊急仮設防油堤を設置した時、重ねた吸油、吸着マットなどの滑り摩擦抵抗が小さく、隙間からの漏れ出しも許されない。そこで固定安全性の向上と漏れ出し防止が重要である。【００１５】    使用後の解体時  被接合材が破れず表裏分離可能な構造のファスナーでリサイクルもできるようにしたい。【００１６】  ブルーシートの用途も昨今の自然災害被災他  多岐にわたり使用されているが覆うことあるいは敷くことに於いて簡便に固定したい場合が多い。この時  色々な場合の固定、繋ぎや結束もできるパーツがあれば望まれる。
【課題を解決するための手段】
【００１７】  鈎針状の部材を平板に取り付けた様な形状のファスナー図１。これを基本型にして縦横連続にしたもの図２及び更にそれらを表裏合わせて一体化したファスナー図３。被接合材を任意のところにファスナーを挟んで突き刺し、素早く繋げて、あるいは結束できることを特徴とする鈎針型ファスナー図４を発明、採用することにした。【００１８】  鈎針型ファスナーで、被接合材の間に挟み込み突き刺すと簡単に一体化することができ、結合すれば容易に外れない構造。しかし合わせ面では水嚢や土嚢が破れず表裏分離可能な構造を特徴とした両面型ファスナーを発明、採用することにした。図２、図５、図８〜図１１、図１５【００１９】  平板を資材として鈎針状に立て起した基本型ファスナー図７、図８で被接合材のところに突き刺し、素早く繋げて、あるいは結束できることを特徴とするファスナー（以下平板型ファスナーという）を発明、採用することにした。図６【００２０】    平板を資材として鈎針状に打抜き、円弧断面型にして厚くて堅い被接合材に差込める基本型ファスナー図７（以下平板円弧型ファスナーという）を発明採用した。図８〜図１１【００２１】  鈎針状で分厚く成型しながら打抜き立て起した基本型図１２のようなファスナーで平板円弧型ファスナーより更に厚くて堅い被接合材被接合材に差込め、素早く繋げて、あるいは結束できることを特徴とするファスナー（以下強力型ファスナーという）を発明、採用することにした。図１３〜図１５【００２２】  これらのファスナーに蓄光剤、蛍光剤や反射材を使用（練り込み、塗装や貼り物）したファスナーを発明、採用することにした。【００２３】    浸水や土石流の浸水防止に水嚢や土嚢あるいはそれを包み込んで一体化したシートを固定するために設置場所に吸盤使用可能な場所（タイル仕上げ）には吸盤のついたピン図１６を、土の部分には（主に剪断力の作用する部位）アンカーピン図２や杭を使うことにした。【００２４】  水嚢、土嚢、吸着袋の種類により基本型鈎針型、平板型、平板型円弧型、強力型ファスナーの形状と特徴に基づいてそれぞれのファスナーを使い分けることにした。【００２５】  これら発明品やシート、水嚢、土嚢、吸着マットや吸着袋を使った図２２、図２３のような浸水防止、防油用仮設築堤システムを発明した。
【発明の効果】
【００２６】  鈎針型を応用したファスナー図２〜図５や基本型平板型ファスナーを応用した図６〜図１１、及び図１２を使用した図１４〜図１５ファスナーを駆使し図１８〜図２３の水嚢、土嚢や吸着袋のように全体を素早く一体化（ファスニング）することにより解決するのである。【００２７】  蓄光剤、蛍光剤や反射材を使ったファスナーを使用すると弱光下や暗所でも作業者や指揮者なども目視ができるので  昼夜・天候を問わず緊急を要するとき単純作業で安全、確実で素早く一体化できる。【００２８】  ファスナーの突起部分は長さ、幅、厚み、硬さの違いと水嚢、土嚢や吸着袋の種類（麻、木綿、プラスチックス繊維、シートなど）によって基本型３種類のファスナーを使い分ける事により目的を果たすものである。【００２９】  上記鈎針型、平板型、強力型ファスナーを使用して築堤した場合  本発明の図２２、図２３のようにブルーシートを併用する全体システム（仮設築堤システム）により一層の浸水防止、防油堤効果が期待できる【００３０】  解体時には水嚢、土嚢や吸着袋が破れず表裏分離可能な構造のため、解体できる。
【発明を実施するための最良の形態】
【００３１】  水嚢、土嚢や吸着袋でそれぞれの流れ込みを阻止する場合、本発明のファスナーを使って図２２、図２３の様にブルーシートなどで  一体化した浸水防止や防油の仮設堤防を作ると、最良の対処が出来る。又悪天候、夜間の作業を問わず緊急時に指揮者や作業員にも作業の目視も出来、簡単で安全確実に浸水防止を行える。【００３２】  使用後のパーツは水嚢内容物を処分した後リサイクルできる。
【実施例１】
【００３３】    図１８〜図２１は本発明の平板型ファスナー図６を使用したファスニングの例である。
【産業上の利用可能性】
【００３４】    予期せぬゲリラ豪雨などによる建物出入り口、地下室、地下街などの他  浸水や土石流の浸水防止に土嚢や水嚢が使われている。水嚢は軽くて設置も簡単  侵入水の吸水などにより膨張し、止水するが吸水膨張方法のため、比重が殆ど水比重に近く積み重ね水嚢の側圧に対する水嚢の滑り摩擦抵抗が小さい。これらの水嚢や従来からの土嚢を本発明のファスナーで図２２、図２３の様に使用すれば素早く簡単に固定性確保ができる。【００３５】    蓄光剤、蛍光剤や反射材を使った本発明のファスナーを使用するとき弱光下や暗所でも作業者や指揮者などにも目視もできやすく、昼夜・天候を問わず緊急を要するとき単純作業で安全、確実で素早く一体化できる。【００３６】    特に図２２、図２３のブルーシート併用方法は市街地建物、地下街入口などで地面がタイルなどで仕上っている場合など  漏水量が少なく抑えられる仮設築堤システムで被害が極小に抑えられ今後ますます有望である。【００３７】    また  吸着袋で油や石油などの流れ込みを阻止する場合、本発明のファスナーを使って図２２、図２３の水嚢の代わりに吸着材入り袋を使うと防油仮設堤防になる。
【図面の簡単な説明】
【００３８】
【図１】本発明の縦断面が鈎針状の先端部分を平板に取り付けた様な形状の基本鈎針型ファスナーの図である。
【図２】本発明の基本鈎針型ファスナーを表裏組み合わせたもので分離可能な構造の両面ファスナーの図である。
【図３】本発明の両面鈎針連続型２列ファスナーの図である。
【図４】本発明の片面鈎針連続２列帯型ファスナーの図である。
【図５】本発明の両面鈎針連続２列帯型ファスナーの図である。
【図６】本発明の平板型打抜きファスナーのパターンの一例である。
【図７】本発明の基本型で平板円弧型ファスナーの図である。
【図８】本発明の両面接合した平板円弧型連続ファスナーの図である。
【図９】本発明の平板円弧型ファスナーの図である。
【図１０】平板円弧型ファスナーを縦横連続パターンにした平板円弧型両面ファスナーの図である。
【図１１】本発明品の連続平板円弧型ファスナーの図である。
【図１２】本発明品の分厚い鈎針状で且つ立て起した差込める力の強いファスナー基本の図である。
【図１３】強力連続型ファスナーのパターンにした図である。
【図１４】強力連続２列型ファスナーにした図である。
【図１５】両面強力型ファスナーの図である。
【図１６】吸盤付ファスナーの図である。
【図１７】片面や両面の平板打抜き型、平板円弧型、強力型ファスナーを使って市販ブルーシートを繋ぐ様子である。
【図１８】例として市販麻袋に本発明品の平板打抜き型を使用した様子である。
【図１９】例として市販水嚢袋（麻製）や土嚢袋（ポリエチレン製）に本発明品の平板打抜き型を使用した様子である。
【図２０】例として本発明品の平板打抜き型を使用し市販麻袋と水嚢袋や土嚢袋を繋いだ様子である。
【図２１】本発明品の平板打抜き型を使用した時の水嚢袋や土嚢袋の引き抜き抵抗の様子である。
【図２２】本発明品を使用し、一体化した最良状態の仮設築堤システムの断面の図である。
【図２３】図２２の立面図で最良状態の浸水防止仮設築堤システムの図である。
【符号の説明】
【００３９】１１  ファスナー鈎針状先端（切り裂け防止）
１２  座板部分
１３  表裏接続用穴部
１４  同上接続用凸部
７１  鈎針の部分が腰折れしにくくするため反り成型した平板円弧型打抜きファスナーの立て起し部。
８２  分離可能な両面張り合わせ（引き解け式縫合の例）
１２１  分厚い鈎針状で立て起しした腰折れしにくい強力型ファスナー。
１６１  プラスチックス吸盤
１７２  ブルーシート
【図１】
2010190023.tif 000003
【図２】
2010190023.tif 000004
【図３】
2010190023.tif 000005
【図４】
2010190023.tif 000006
【図５】
2010190023.tif 000007
【図６】
2010190023.tif 000008
【図７】
2010190023.tif 000009
【図８】
2010190023.tif 000010
【図９】
2010190023.tif 000011
【図１０】
2010190023.tif 000012
【図１１】
2010190023.tif 000013
【図１２】
2010190023.tif 000014
【図１３】
2010190023.tif 000015
【図１４】
2010190023.tif 000016
【図１５】
2010190023.tif 000017
【図１６】
2010190023.tif 000018
【図１７】
2010190023.tif 000019
【図１８】
2010190023.tif 000020
【図１９】
2010190023.tif 000021
【図２０】
2010190023.tif 000022
【図２１】
2010190023.tif 000023
【図２２】
2010190023.tif 000024
【図２３】
2010190023.tif 000025